(57)【要約】【課題】詰め替え容器等に設けられる注出用スパウトについて、詰め替え容器から内容物を充填するボトル容器等の充填対象容器の口首部のサイズに対応して注出筒部の口首部に対する挿入方向の位置、挿入向きを安定維持できる技術の開発。【解決手段】内容物が収容される容器に取り付けられる取付部２１及び取付部２１から突出された注出筒部２２を含み注出筒部２２先端側に注出口２５ｂを有する内容物流路２５が形成されたスパウト本体２０と、注出筒部２２にその軸線方向に移動可能に外挿された外側スリーブ３０とを有し、外側スリーブ３０の基端部の側部にその基端側に行くしたがって突出寸法が増大するテーパ状のストッパ突部３２を有する注出用スパウト１０、ストッパ部材付き注出用スパウト、キャップ付き注出用スパウトを提供する。【選択図】図１
2020172315.tif 000002
【特許請求の範囲】
【請求項１】
内容物が収容される容器に取り付けられる取付部及び前記取付部から突出された注出筒部を含むスパウト本体と、前記スパウト本体の前記注出筒部にその軸線方向に移動可能に外挿された外側スリーブとを有し、
前記スパウト本体は、前記取付部と、前記注出筒部と、前記注出筒部から突出された支持片部によって支持され前記注出筒部からその先端側に離間した位置に形成された嵌合部を前記外側スリーブの先端部内側に嵌合させることで前記外側スリーブの先端部内側を封止する封止突部と、前記注出筒部の内側を含み前記取付部を貫通し且つ前記封止突部の前記嵌合部と前記注出筒部の先端との間に確保された注出口を含んで形成された内容物流路とを有し、
前記外側スリーブは、前記スパウト本体に外挿され前記封止突部の前記嵌合部が先端部に脱着可能に嵌合される筒状のスリーブ本体と、前記スリーブ本体の基端部外周に突出形成され前記スリーブ本体を挿入した容器口首部の先端に当接されることで前記スリーブ本体の前記容器口首部に対する挿入方向の変位を規制するストッパ突部とを有し、前記ストッパ突部は前記スリーブ本体の基端側へ行くにしたがって前記スリーブ本体からの突出寸法が増大するテーパ状に形成されている注出用スパウト。
【請求項２】
前記ストッパ突部にその側面から窪んで形成された通気路出口溝と、前記ストッパ突部を先端に当接させた前記容器口首部の内側の注出口流路とが連通するとき、前記容器口首部の内周面と前記外側スリーブの前記容器口首部内に挿入された部分の外周面との間のクリアランス及び前記通気路出口溝によって構成される通気路が確保される請求項１に記載の注出用スパウト。
【請求項３】
請求項１に記載の注出用スパウトと、前記スパウト本体の前記取付部における前記注出筒部の先端とは逆の基端の周囲に位置する部分あるいは前記注出筒部の側面に突出する突部であるストッパ受け部と前記スパウト本体の前記嵌合部に先端部を嵌合させた前記外側スリーブとの間に確保されるストッパ配置領域に設けられて前記外側スリーブの前記注出筒部の基端側への移動を規制するストッパ部材とを有し、
前記ストッパ部材は前記注出筒部の軸線に垂直の向きの引き抜き力によって前記ストッパ配置領域から抜き去り可能であるストッパ部材付き注出用スパウト。
【請求項４】
請求項３に記載のストッパ部材付き注出用スパウトと、前記外側スリーブを収容して前記注出用スパウトに脱着可能に装着されるオーバーキャップとを有し、
前記オーバーキャップは、前記外側スリーブを収容可能な筒壁部と、前記筒壁部の先端側を塞ぐ先端壁部とを有し、前記筒壁部の前記先端壁部とは逆の基端の開口部から前記注出用スパウトの前記外側スリーブ及び前記ストッパ部材における前記ストッパ配置領域に設けられる部分である介装片を収容可能、且つ前記介装片を収容した前記筒壁部によって前記介装片が前記ストッパ配置領域に配置された状態を維持可能とされているキャップ付き注出用スパウト。
【請求項５】
前記ストッパ部材は、前記介装片と、前記介装片に突出形成され前記注出用スパウトの前記ストッパ配置領域に配置された前記介装片から前記ストッパ配置領域の側方へ突出状態に配置される取っ手片とを有し、
前記オーバーキャップの前記筒壁部には前記ストッパ部材の前記取っ手片の少なくとも一部が挿入される取っ手片挿入スリットが前記筒壁部の基端から先端に向かって延在形成されている請求項４に記載のキャップ付き注出用スパウト。
【請求項６】
前記ストッパ部材の前記取っ手片は，前記介装片から突出された基片部と、基片部の前記介装片とは逆側の突端からその側方へ突出された張り出し片部とを有し、
前記オーバーキャップの前記取っ手片挿入スリットは前記筒壁部の基端側から前記ストッパ部材の前記取っ手片の前記基片部を挿脱可能であり、前記取っ手片の前記基片部が前記オーバーキャップの前記取っ手片挿入スリットに挿入されたときに、前記基片部からその側方へ突出された前記介装片の根元部と前記張り出し片部との間のクリアランスに前記側壁部の一部が挿入される請求項５に記載のキャップ付き注出用スパウト。
【請求項７】
前記ストッパ部材は、前記取っ手片から延出されて前記スパウト本体の前記注出筒部を脱着可能に保持する一対の介装片を有する請求項５または６に記載のキャップ付き注出用スパウト。
【発明の詳細な説明】
【技術分野】
【０００１】
本発明は、詰め替え容器等に好適に用いることができる注出用スパウト、ストッパ部材付き注出用スパウト、キャップ付き注出用スパウトに関する。
【背景技術】
【０００２】
醤油等の液体調味料や液体洗剤等のトイレタリー商品は、樹脂製の包装容器に内容物を収容した商品の他に、補充用の内容物が収容された詰め替え容器を提供することが多く行なわれている。
繰り返し使用する包装容器にはボトル形のもの（以下、ボトル容器、とも言う）がある。ボトル容器の内容物補充のために提供される詰め替え容器は内容物注出用の注出筒を有し、この注出筒をボトル容器の口首部に単に差し込んで詰め替えを行うものが従来一般的であった。この詰め替え容器は、近年、詰め替え時の漏れ防止や作業性向上のために、先端が閉鎖され且つ周壁に注出口が開口された有天筒状の注出筒と、注出筒に注出筒軸線方向に移動可能に外挿されたリング状の可動部材とを備え、可動部材の注出筒軸線方向への移動によって注出筒の注出口が開閉される注出用スパウトを有するものが提案されている（例えば特許文献１）。
【０００３】
特許文献１に開示される詰め替え容器の注出用スパウトの可動部材は、注出筒に外挿され注出筒に対するその軸線方向への移動によって注出筒周壁の注出口を開閉する筒状の注出口閉鎖部と、注出口閉鎖部外周からフランジ状に張り出す連結部と、連結部の外周部に形成されボトル容器の口首部に押し当てられる押し当て部と、連結部の外周部に突出形成されボトル容器の口首部の内又は外周面に係合する位置決め係合部とを有している。
特許文献１に開示される詰め替え容器の注出用スパウトは、可動部材の注出口閉鎖部を注出筒先端部に配置して注出口を閉鎖することで詰め替え容器の内容物が外気に触れることを防止できる。
【０００４】
この注出用スパウトは、可動部材の注出口閉鎖部によって注出口を閉鎖し、内容物の注出口からの漏れを防止した状態で、ボトル容器の口首部にその上方から可動部材の押し当て部を押し当てるとともに可動部材の位置決め係合部を口首部の内周面または外周面に係合させることができる。また、この注出用スパウトは、可動部材の押し当て部をボトル容器の口首部に押し当て、可動部材の位置決め係合部を口首部の内周面または外周面に係合させた状態で、注出筒を可動部材に対して下方へ移動し可動部材から下方へ突出させて口首部内に挿入し、注出筒周壁の注出口を口首部内にて開放させることで、詰め替え容器内の内容物を注出筒を通じてボトル容器に充填できるように構成されている。
【先行技術文献】
【特許文献】
【０００５】
【特許文献１】特開２０１４−８０２１８号公報
【発明の概要】
【発明が解決しようとする課題】
【０００６】
上述の従来構成の注出用スパウトは、ボトル容器の口首部にその上方から可動部材の押し当て部を押し当てるとともに可動部材の位置決め係合部を口首部の内周面または外周面に係合させることで、可動部材の押し当て部が口首部の開口周縁部に当接した状態が安定に維持される。
しかしながら、従来構成の注出用スパウトは、その構造上、可動部材の位置決め係合部のサイズがボトル容器の口首部の内周面または外周面に適合しなければ、口首部の開口周縁部に対する可動部材の押し当て部の当接状態の安定維持が困難である。このため、従来構成の注出用スパウトは、ボトル容器の口首部の内周面または外周面のサイズ毎に適合サイズの位置決め係合部を有する可動部材を使用して組み立てる必要がある。
【０００７】
本発明の態様が解決しようとする課題は、詰め替え容器から内容物を充填するボトル容器等の充填対象容器の口首部のサイズに対応して注出筒部の口首部に対する挿入方向の位置及び挿入向きを安定維持できる注出用スパウト、ストッパ部材付き注出用スパウト、キャップ付き注出用スパウトを提供することである。
【課題を解決するための手段】
【０００８】
上記課題を解決するために、本発明では以下の態様を提供する。
第１の態様の注出用スパウトは、内容物が収容される容器に取り付けられる取付部及び前記取付部から突出された注出筒部を含むスパウト本体と、前記スパウト本体の前記注出筒部にその軸線方向に移動可能に外挿された外側スリーブとを有し、前記スパウト本体は、前記取付部と、前記注出筒部と、前記注出筒部から突出された支持片部によって支持され前記注出筒部からその先端側に離間した位置に形成された嵌合部を前記外側スリーブの先端部内側に嵌合させることで前記外側スリーブの先端部内側を封止する封止突部と、前記注出筒部の内側を含み前記取付部を貫通し且つ前記封止突部の前記嵌合部と前記注出筒部の先端との間に確保された注出口を含んで形成された内容物流路とを有し、前記外側スリーブは、前記スパウト本体に外挿され前記封止突部の前記嵌合部が先端部に脱着可能に嵌合される筒状のスリーブ本体と、前記スリーブ本体の基端部外周に突出形成され前記スリーブ本体を挿入した容器口首部の先端に当接されることで前記スリーブ本体の前記容器口首部に対する挿入方向の変位を規制するストッパ突部とを有し、前記ストッパ突部は前記スリーブ本体の基端側へ行くにしたがって前記スリーブ本体からの突出寸法が増大するテーパ状に形成されている。
上述の注出用スパウトは、前記ストッパ突部にその側面から窪んで形成された通気路出口溝と、前記ストッパ突部を先端に当接させた前記容器口首部の内側の注出口流路とが連通するとき、前記容器口首部の内周面と前記外側スリーブの前記容器口首部内に挿入された部分の外周面との間のクリアランス及び前記通気路出口溝によって構成される通気路が確保される構成も採用可能である。
第２の態様のストッパ部材付き注出用スパウトは、上述の注出用スパウトと、前記スパウト本体の前記取付部における前記注出筒部の先端とは逆の基端の周囲に位置する部分あるいは前記注出筒部の側面に突出する突部であるストッパ受け部と前記スパウト本体の前記嵌合部に先端部を嵌合させた前記外側スリーブとの間に確保されるストッパ配置領域に設けられて前記外側スリーブの前記注出筒部の基端側への移動を規制するストッパ部材とを有し、前記ストッパ部材は前記注出筒部の軸線に垂直の向きの引き抜き力によって前記ストッパ配置領域から抜き去り可能である。
第３の態様のキャップ付き注出用スパウトは、上述のストッパ部材付き注出用スパウトと、前記外側スリーブを収容して前記注出用スパウトに脱着可能に装着されるオーバーキャップとを有し、前記オーバーキャップは、前記外側スリーブを収容可能な筒壁部と、前記筒壁部の先端側を塞ぐ先端壁部とを有し、前記筒壁部の前記先端壁部とは逆の基端の開口部から前記注出用スパウトの前記外側スリーブ及び前記ストッパ部材における前記ストッパ配置領域に設けられる部分である介装片を収容可能、且つ前記介装片を収容した前記筒壁部によって前記介装片が前記ストッパ配置領域に配置された状態を維持可能とされている。
前記ストッパ部材は、前記介装片と、前記介装片に突出形成され前記注出用スパウトの前記ストッパ配置領域に配置された前記介装片から前記ストッパ配置領域の側方へ突出状態に配置される取っ手片とを有し、前記オーバーキャップの前記筒壁部には前記ストッパ部材の前記取っ手片の少なくとも一部が挿入される取っ手片挿入スリットが前記筒壁部の基端から先端に向かって延在形成されていても良い。
前記ストッパ部材の前記取っ手片は，前記介装片から突出された基片部と、基片部の前記介装片とは逆側の突端からその側方へ突出された張り出し片部とを有し、前記オーバーキャップの前記取っ手片挿入スリットは前記筒壁部の基端側から前記ストッパ部材の前記取っ手片の前記基片部を挿脱可能であり、前記取っ手片の前記基片部が前記オーバーキャップの前記取っ手片挿入スリットに挿入されたときに、前記基片部からその側方へ突出された前記介装片の根元部と前記張り出し片部との間のクリアランスに前記側壁部の一部が挿入される構成であっても良い。
前記ストッパ部材は、前記取っ手片から延出されて前記スパウト本体の前記注出筒部を脱着可能に保持する一対の介装片を有しても良い。
【発明の効果】
【０００９】
本発明によれば、ボトル容器等の充填対象容器の口首部のサイズに対応して注出筒部の口首部に対する挿入方向の位置及び挿入向きを安定維持できる。
【図面の簡単な説明】
【００１０】
【図１】本発明の１実施形態に係る注出用スパウトの充填対象容器の口首部に対する挿入状態を示す正断面図である。
【図２】図１の注出用スパウトのスパウト本体の内容物流路の注出口を開放させた状態を示す正断面図である。
【図３】図１の注出用スパウトを用いて組み立てたストッパ部材付きスパウトとオーバーキャップとで構成されるキャップ付き注出用スパウトを示す分解斜視図である。
【図４】図３のキャップ付き注出用スパウトについて、ストッパ部材付きスパウトを分解して示して分解斜視図である。
【図５】図３のキャップ付き注出用スパウトの組み立て状態を示す正断面図である。
【図６】図５のＡ−Ａ線矢視断面図であり、注出用スパウトのストッパ配置領域に配置されたストッパ部材の介装片とスパウト本体の注出筒部との関係を示す図である。
【図７】図５におけるオーバーキャップの係合突起とスパウト本体のストッパ受け部との係合状態を示す正断面図である。
【発明を実施するための形態】
【００１１】
以下、本発明の実施形態につき、図面を参照して説明する。
なお、以下の説明に用いる各図面では、各部材を認識可能な大きさとするため、各部材の縮尺を適宜変更している。
【００１２】
図１、図２は、本発明の１実施形態の注出用スパウト１０を示す。
また、図３は、注出用スパウト１０と注出用スパウト１０に脱着可能に装着されるストッパ部材４０とを有するストッパ部材付き注出用スパウト１０Ａ、及びストッパ部材付き注出用スパウト１０Ａとストッパ部材付き注出用スパウト１０Ａに脱着可能に取り付けられるオーバーキャップ５０とを有するキャップ付き注出用スパウト１０Ｂを示す。
図４は、注出用スパウト１０、ストッパ部材付き注出用スパウト１０Ａ、キャップ付き注出用スパウト１０Ｂを示す分解斜視図である。
【００１３】
図１、図２に示すように、この実施形態の注出用スパウト１０は、詰め替え容器１１０の容器部１１１（容器）に取り付けられた取付部２１及び取付部２１から突出された注出筒部２２を含むスパウト本体２０と、スパウト本体２０の注出筒部２２にその軸線方向に移動可能に外挿された外側スリーブ３０とを有する。
【００１４】
なお、本明細書において、注出用スパウト１０について、スパウト本体２０の取付部２１側を基端側、取付部２１から突出する注出筒部２２の先端（突端）側を先端側、として説明する。スパウト本体２０及び外側スリーブ３０についても、注出用スパウト１０基端側を基端側、注出用スパウト１０先端側を先端側、として説明する。
また、注出用スパウト１０について、スパウト本体２０の筒状の注出筒部２２の軸線方向を、軸線方向、あるいはスパウト軸線方向とも言う。
【００１５】
図１〜図４に示す注出用スパウト１０のスパウト本体２０、外側スリーブ３０、及び図３、図４に示すストッパ部材４０、オーバーキャップ５０は、それぞれ合成樹脂製の一体成形品である。
図１〜図４に示す注出用スパウト１０のスパウト本体２０の注出筒部２２は円筒状に形成されている。
図１〜図４に示す外側スリーブ３０は、スパウト本体２０の注出筒部２２にその軸線方向に移動可能に外挿された円筒状のスリーブ本体３１と、スリーブ本体３１の基端部の周囲にリング状に突出形成されたストッパ突部３２とを有する。ストッパ突部３２は、外側スリーブ３０基端側に行くにしたがってスリーブ本体３１からの突出寸法が増大するテーパ状に突出形成されている。
【００１６】
詰め替え容器１１０の容器部１１１の内部には、液体、粉体等の有体物からなる流体である内容物が収容される。液体の内容物には、例えば醤油等の液体調味料や液体洗剤、液体化粧品などを挙げることができる。粉体の内容物には、塩、砂糖、胡椒、顆粒状調味料、粉末洗剤などを挙げることができる。
【００１７】
図１、図２に示すように、スパウト本体２０は、注出筒部２２及び注出筒部２２の先端側に設けられた封止突部２４を含む注出用突部２６を有する。注出用突部２６は、スパウト本体２０において注出筒部２２及び注出筒部２２を含み、取付部２１から先端側に突出された部分の全体を指す。
【００１８】
スパウト本体２０には、容器部１１１内の内容物を注出用突部２６先端部の側面において注出筒部２２先端側に開口する注出口２５ｂから注出させる内容物流路２５が貫通形成されている。スパウト本体２０は内容物流路２５を含む。
内容物流路２５は、注出筒部２２の内側を含み且つ取付部２１を貫通して形成されている。内容物流路２５は、取付部２１の注出筒部２２側とは逆側の基端側の面２１ａ（基端面）の中央部に開口する開口部である基端開口部２５ａ、及びスパウト本体２０の注出用突部２６先端部の側面の注出口２５ｂを含む。内容物流路２５は、その一端の基端開口部２５ａから他端の注出口２５ｂを含んでスパウト本体２０に延在形成されている。
注出用スパウト１０は、取付部２１に開口された基端開口部２５ａから内容物流路２５に流入された容器部１１１内の内容物を注出用突部２６先端部側面に開口された内容物流路２５の注出口２５ｂから注出できる。
【００１９】
図１〜図４に示す外側スリーブ３０のスリーブ本体３１におけるストッパ突部３２から先端側に延出する部分３３を、以下、主筒部、あるいは外側スリーブ主筒部、とも言う。
図１、図２に示すように、注出用スパウト１０を有する詰め替え容器１１０は、注出用スパウト１０の外側スリーブ主筒部３３及びその内側のスパウト本体２０を包装容器１２０（充填対象容器）に突出形成された筒状の口首部１２１（容器口首部）に挿入して容器部１１１内の内容物を包装容器１２０に充填する充填作業に使用できる。
【００２０】
図１、図２、図４に示すように、スパウト本体２０は、取付部２１と、注出筒部２２と、スパウト本体２０に貫通形成された内容物流路２５の内周面から突出されて内容物流路２５を複数の分割流路２５ｃに分割する流路仕切り壁２３と、流路仕切り壁２３から注出筒部２２の先端（突端）側に突出形成された封止突部２４とを有する。
【００２１】
図１、図２に示すように、流路仕切り壁２３は、内容物流路２５におけるスパウト本体２０の取付部２１及び注出筒部２２に位置する部分の内周面から突出され内容物流路２５をその軸線に垂直の断面方向（以下、単に断面方向、とも言う）において複数の領域（分割流路２５ｃ）に分割する。流路仕切り壁２３は、内容物流路２５の取付部２１及び注出筒部２２に位置する部分の軸線方向全長にわたって形成されている。
【００２２】
図４、図６に示すように、スパウト本体２０は、内容物流路２５内に内容物流路２５をその断面方向に２分割する流路仕切り壁２３をひとつのみ有し、流路仕切り壁２３によって内容物流路２５内に２つの分割流路２５ｃが形成された構成となっている。
但し、スパウト本体２０は、内容物流路２５が流路仕切り壁２３によって２つの分割流路２５ｃに分割された構成に限定されず、内容物流路２５が流路仕切り壁２３によって３以上の分割流路２５ｃに分割された構成も採用可能である。
流路仕切り壁２３は、分割流路２５ｃの形成数に応じて、その形成数、形状（内容物流路２５の軸線に垂直の断面形状）を適宜設定可能である。
【００２３】
図１、図２、図４に示すように、この実施形態の注出用スパウト１０のスパウト本体２０の流路仕切り壁２３は、注出筒部２２からその先端側（取付部２１とは逆の側）へ延長、突出された突出先端部２３ａを有している。
封止突部２４は、流路仕切り壁２３の突出先端部２３ａにその先端側へ行くにしたがって径大となるテーパ円筒状に形成されたカバー壁部２４ａと、カバー壁部２４ａの流路仕切り壁２３とは逆側の先端部の全周にわたって形成されたリング状の嵌合部２４ｂとを有する。封止突部２４のカバー壁部２４ａ及び嵌合部２４ｂは注出筒部２２と同軸に形成されている。
スパウト本体２０の封止突部２４は流路仕切り壁２３を介して注出筒部２２に支持されている。流路仕切り壁２３は封止突部２４を注出筒部２２に支持するための支持片部の役割を果たす。
【００２４】
スパウト本体２０の注出用突部２６は、スパウト本体２０において取付部２１から先端側に突出された部分の全体を指す。
図１、図２、図４に示す注出用突部２６は、注出筒部２２と、流路仕切り壁２３の取付部２１からスパウト軸線方向における先端側に位置する部分と、封止突部２４とを有して構成されている。
【００２５】
図１に示すように、封止突部２４の嵌合部２４ｂは、外側スリーブ３０の主筒部３３の先端部内側に嵌合、密着可能なリング状に形成されている。封止突部２４は、嵌合部２４ｂを外側スリーブ３０の主筒部３３の先端部内側に嵌合させることで、外側スリーブ主筒部３３の先端部内側全体を封止する。
なお、図２に示すように、嵌合部２４ｂは、外側スリーブ主筒部３３の先端部内側から離脱可能であり、外側スリーブ主筒部３３の先端部内側に対して脱着可能に嵌合される。
【００２６】
図１、図２、図４に示すように、封止突部２４の嵌合部２４ｂは、注出筒部２２先端から取付部２１とは逆の側（注出筒部２２先端側）へ離間した所に形成されている。
スパウト本体２０の内容物流路２５は、注出筒部２２先端と封止突部２４との間に確保された領域（空間）である流路先端領域２５ｄを含む。内容物流路２５の注出口２５ｂは、注出用突部２６側面における注出筒部２２先端と封止突部２４の嵌合部２４ｂとの間に開口する開口部である。
【００２７】
図１、図２に示すように、外側スリーブ３０は主筒部３３の先端部内側全周に突出された嵌合受け部３４を含む。
スパウト本体２０の封止突部２４の嵌合部２４ｂは、具体的には、外側スリーブ３０の嵌合受け部３４内側に嵌合、密着可能に形成されている。
なお、封止突部２４の嵌合部２４ｂは、スパウト本体２０の注出筒部２２に比べて若干径小に形成されている。
【００２８】
図１、図２、図４に示すように、スパウト本体２０の注出用突部２６は、注出筒部２２の基端部の側面から突出された突部であるストッパ受け部２７を有している。
図１、図２、図４に示すスパウト本体２０のストッパ受け部２７は、注出筒部２２基端部の側面全周に突出するフランジ状に形成されている。
【００２９】
図２に示すように、外側スリーブ３０は、スパウト本体２０のストッパ受け部２７に注出用突部２６先端側から当接可能である。
外側スリーブ３０は、その基端部がストッパ受け部２７に注出用突部２６先端側から突き当たる位置が、スパウト本体２０に対する基端側への移動限界位置（基端側移動限界位置）となっている。
外側スリーブ３０は、注出用突部２６に対するスパウト軸線方向のスライド移動によって、スパウト本体２０に対して、ストッパ受け部２７に突き当たる基端側移動限界位置と、外側スリーブ主筒部３３の先端部内側の嵌合受け部３４がスパウト本体２０の封止突部２４の嵌合部２４ｂに嵌合する嵌合位置とを切り換えることができる。
【００３０】
図４、図６に示すように、ストッパ部材４０は、Ｃリング状に形成された介装片４１と、介装片４１に突出形成された取っ手片４２とを有する。
取っ手片４２は、Ｃリング状に湾曲して延在する介装片４１の延在方向（湾曲周方向）中央部の湾曲外周側の側面に突出形成された基片部４３と、基片部４３の介装片４１とは逆側の突端からその側方へ突出された張り出し片部４４とを有する。
【００３１】
図３、図５に示すように、介装片４１は、スパウト本体２０に対する嵌合位置に配置された外側スリーブ３０と、スパウト本体２０のストッパ受け部２７との間に確保されるストッパ配置領域１１に挿入配置可能である。
図５に示すように、介装片４１のその湾曲中心の軸線（湾曲軸線）に沿う方向の寸法である高さ寸法４１Ｔ（図４、図５参照）は、スパウト本体２０に対する嵌合位置に配置された外側スリーブ３０と、スパウト本体２０のストッパ受け部２７との間の離間距離ΔＬ（図１参照）と同等である。
【００３２】
図３、図５に示すように、スパウト本体２０の注出筒部２２におけるストッパ配置領域１１に位置する部分２２ａを、以下、配置領域延在部、とも言う。
介装片４１は、注出筒部２２における配置領域延在部２２ａの外側に脱着可能に装着される。図５は、ストッパ部材４０の介装片４１が注出筒部２２の配置領域延在部２２ａに装着され注出用スパウト１０のストッパ配置領域１１に配置された状態を示す。
ストッパ部材４０は、介装片４１を注出筒部２２の配置領域延在部２２ａに装着し注出用スパウト１０のストッパ配置領域１１に配置することで、注出用スパウト１０に装着される。また、ストッパ部材付き注出用スパウト１０Ａはストッパ部材４０を注出用スパウト１０に装着することで組み立て状態となる。
【００３３】
図６に示すように、介装片４１の湾曲内周側の湾曲半径は、注出筒部２２の配置領域延在部２２ａの外径と同等になっている。
Ｃリング状に湾曲して延在する介装片４１の延在方向（湾曲周方向）両端間の離間距離４１Ｌは、注出筒部２２の配置領域延在部２２ａの外径よりも小さい。介装片４１は、取っ手片４２の基片部４３から両側に延出された延出部を弾性変形させ一対の延出部の先端間を一時的に拡げて注出筒部２２の配置領域延在部２２ａに脱着される。
なお、介装片４１における、取っ手片４２の基片部４３から両側に延出された延出部は、それぞれ、ストッパ配置領域１１に配置される介装片として機能する。
【００３４】
図６に示すように、介装片４１の延在方向両端間の離間距離４１Ｌは、例えば、注出筒部２２の配置領域延在部２２ａ外径の５〜４０％に設定される。
但し、介装片４１は、注出筒部２２に装着していないとき、あるいは注出筒部２２に装着したときに、延在方向両端が互いに接する構成も採用可能である。
また、介装片４１は、注出筒部２２に装着していないとき、あるいは注出筒部２２に装着したときに、延在方向両端部の一方にその先端から窪んで形成された切欠部に、延在方向両端部の他方に形成された突片部が入り込む構成も採用可能である。
【００３５】
ストッパ部材４０の介装片４１は、ストッパ配置領域１１に配置されることで、ストッパ本体２０に対する嵌合位置に配置された外側スリーブ３０の注出筒部２２基端側への移動を規制する。
ストッパ配置領域１１に配置された介装片４１は、ストッパ本体２０に対する嵌合位置に配置された外側スリーブ３０が不用意に注出筒部２２基端側へ押し込まれて、ストッパ本体２０の内容物流路２５の注出口２５ｂが開放されることを防ぐ。
【００３６】
図４、図５等に示すストッパ部材４０の基片部４３は、Ｃリング状に湾曲して延在する介装片４１の延在方向（湾曲周方向）中央部の湾曲外周側の側面の接線方向に垂直の板状に形成されている。
図４、図５等に示す基片部４３は、ストッパ部材４０の介装片４１の延在方向中央部から介装片４１の湾曲軸線とは逆側へ延出された部分であり、介装片４１と取っ手片４２の張り出し片部４４との間を橋絡する橋絡部４３ａを有する。また、図４、図５等に示す基片部４３は、基片部４３の橋絡部４３ａ及び介装片４１の延在方向中央部から、介装片４１の湾曲軸線方向片側へ延出する延出板部４３ｂを有している。
【００３７】
延出板部４３ｂを有している基片部４３は、例えば橋絡部４３ａのみが存在する構成に比べて橋絡部４３ａの折れや変形が生じにくい。
延出板部４３ｂは橋絡部４３ａの補強材の役割を果たす。
なお、ストッパ部材４０の基片部４３は、延出板部４３ｂが無く橋絡部４３ａのみが存在する構成や、橋絡部４３ａが無く延出板部４３ｂのみが存在する構成も採用可能である。
【００３８】
図５に示すように、延出板部４３ｂは、介装片４１の延在方向中央部に対して、その介装片４１の湾曲軸線を中心とする径方向全体に繋がっているのではなく、介装片４１の延在方向中央部における径方向中央部から外側（介装片４１湾曲軸線とは逆側）の部分のみに繋がっている。
【００３９】
図４に示すように、外側スリーブ３０のストッパ突部３２の周方向の一部には、ストッパ部材４０の取っ手片４２の基片部４３の延出板部４３ｂが挿入される基片部挿入溝３２ａが形成されている。
基片部挿入溝３２ａは、ストッパ突部３２にその径方向外側から窪みリング状のストッパ突部３２の軸線方向に沿って延在する溝状に形成されている。基片部挿入溝３２ａの延在方向一端（基端）はストッパ突部３２基端側に外側スリーブ３０のスリーブ本体３１軸線方向に垂直に延在する基端面に開口され、延在方向他端（先端）はストッパ突部３２のテーパ状の側面に開口されている。
【００４０】
図３、図５に示すように、ストッパ部材４０は、介装片４１を注出筒部２２の配置領域延在部２２ａに装着してストッパ配置領域１１に配置するとともに、取っ手片４２の基片部４３の延出板部４３ｂを外側スリーブ３０のストッパ突部３２の基片部挿入溝３２ａに挿入して、基片部４３の延出板部４３ｂが橋絡部４３ａからスパウト軸線方向先端側に位置する向きで注出用スパウト１０に装着される。
【００４１】
ストッパ部材４０の取っ手片４２は、ストッパ部材４０の介装片４１が注出筒部２２の配置領域延在部２２ａに装着してストッパ配置領域１１に配置されたとき、介装片４１からストッパ配置領域１１の側方へ突出状態に配置される。また、取っ手片４２はユーザーが手指で把持可能なサイズに形成されている。
注出筒部２２の配置領域延在部２２ａに装着してストッパ配置領域１１に配置された介装片４１は、例えば、詰め替え容器１１０を使用するユーザーが手指でストッパ部材４０の取っ手片４２を把持して注出筒部２２軸線に垂直の向きの引き抜き力を作用させることによってストッパ配置領域１１から抜き去る作業を簡単に行なうことができる。
【００４２】
図５に示すように、オーバーキャップ５０は、注出用スパウト１０の外側スリーブ３０及び注出筒部２２の配置領域延在部２２ａに装着してストッパ配置領域１１に配置されたストッパ部材４０の介装片４１を収容可能な筒壁部５１と、筒壁部５１の先端側を塞ぐ先端壁部５２とを有する。
オーバーキャップ５０は、組み立て状態のストッパ部材付き注出用スパウト１０Ａに脱着可能に装着できる。
なお、オーバーキャップ５０は、ストッパ部材４０が装着されていない注出用スパウト１０にも脱着可能に装着できる。
【００４３】
図５は、オーバーキャップ５０を注出用スパウト１０の外側スリーブ３０及びストッパ部材４０の介装片４１を収容して組み立て状態のストッパ部材付き注出用スパウト１０Ａに装着した状態のキャップ付き注出用スパウト１０Ｂを示す。
オーバーキャップ５０の筒壁部５１内側には、注出用スパウト１０の外挿スリーブ３０と、その内側の注出用突部２６と、注出筒部２２の配置領域延在部２２ａに装着してストッパ配置領域１１に配置されたストッパ部材４０の介装片４１とを、筒壁部５１の基端側開口部から収容できる。
【００４４】
注出用スパウト１０について、外側スリーブ３０がスパウト本体２０に対して嵌合位置に配置され、ストッパ部材４０の介装片４１が注出筒部２２の配置領域延在部２２ａに装着されてストッパ配置領域１１に配置された状態を、以下、初期状態、とも言う。
【００４５】
図４、図６に示すように、オーバーキャップ５０の筒壁部５１には、その基端から先端側へ向かって延在する取っ手片挿入スリット５３が形成されている。
オーバーキャップ５０を初期状態の注出用スパウト１０に装着するには、オーバーキャップ５０を注出用スパウト１０にその先端側から取付部２１に向かって移動させ、注出用スパウト１０の外側スリーブ３０及びその内側の注出用突部２６をオーバーキャップ５０の筒壁部５１にその基端側開口部から挿入させる。
また、ストッパ部材４０の取っ手片４２の基片部４３をオーバーキャップ５０の筒壁部５１の取っ手片挿入スリット５３に挿入させ、オーバーキャップ５０の筒壁部５１のその周方向において取っ手片挿入スリット５３を介して両側に位置する部分をストッパ部材４０の取っ手片４２の張り出し片部４４と介装片４１との間に挿入させ、ストッパ部材４０の介装片４１を筒壁部５１内側に収容する。
【００４６】
図３に示すように、オーバーキャップ５０を組み立て状態のストッパ部材付き注出用スパウト１０Ａに被せて装着する際、注出用スパウト１０に装着されたストッパ部材４０の取っ手片４２の基片部４３は、まず延出板部４３ｂがオーバーキャップ５０の取っ手片挿入スリット５３に挿入された後に、橋絡部４３ａが取っ手片挿入スリット５３に挿入される。
ストッパ部材４０の取っ手片４２の基片部４３の延出板部４３ｂは、オーバーキャップ５０を組み立て状態のストッパ部材付き注出用スパウト１０Ａに被せて装着する際に、オーバーキャップ５０の筒壁部５１の基端部における取っ手片挿入スリット５３を介して両側の部分を取っ手片４３の橋絡部４３ａに円滑に導く案内部材の役割を果たす。
【００４７】
オーバーキャップ５０は、ストッパ部材４０の取っ手片４２の基片部４３を筒壁部５１の取っ手片挿入スリット５３に挿入させ、且つ筒壁部５１のその周方向において取っ手片挿入スリット５３を介して両側に位置する部分をストッパ部材４０の取っ手片４２の張り出し片部４４と介装片４１との間に挿入させることで、注出用スパウト１０に対して大きく傾いて装着されてしまうことを防ぐことができる。
ストッパ部材４０の取っ手片４２におけるオーバーキャップ５０の筒壁部５１の取っ手片挿入スリット５３に挿入される基片部４３、及び介装片４１との間に筒壁部５１の一部が挿入される張り出し片部４４は、それぞれ注出用スパウト１０に対するオーバーキャップ５０の装着向きの安定化に有効に寄与する。
【００４８】
図３、図７等に示すように、オーバーキャップ５０の筒壁部５１の基端部内面には、スパウト本体２０のストッパ受け部２７に係脱可能に係合させる係合突起５４が突出形成されている。
オーバーキャップ５０は係合突起５４を含む。
【００４９】
図７に示すように、初期状態の注出用スパウト１０に対してその先端側から取付部２１に向かって移動させたオーバーキャップ５０は、筒壁部５１の基端部内面の係合突起５４を、スパウト本体２０のストッパ受け部２７に対して筒壁部５１の弾性変形によってスパウト軸線方向先端側から基端側へ乗り越えさせ、ストッパ受け部２７のスパウト軸線方向基端側に係合させる。
オーバーキャップ５０の初期状態の注出用スパウト１０への装着は、オーバーキャップ５０の筒壁部５１基端部内面の係合突起５４をスパウト本体２０のストッパ受け部２７に係合させることで完了する。
【００５０】
図５に示すように、オーバーキャップ５０は、初期状態の注出用スパウト１０への装着が完了したときに、先端壁部５２がスパウト本体２０に対して嵌合位置の外側スリーブ３０の先端に当接（あるいはごく僅かな隙間を介して接近配置）される構成となっている。
オーバーキャップ５０の初期状態の注出用スパウト１０への装着が完了したとき、スパウト本体２０に対する嵌合位置の外側スリーブ３０は、ストッパ部材４０の介装片４１によって取付部２１側への移動が規制され、且つオーバーキャップ５０によってスパウト本体２０先端側への移動が規制される。その結果、外側スリーブ３０がスパウト本体２０に対して嵌合位置に配置された状態が安定維持される。
【００５１】
仮に、注出スパウト１０へのオーバーキャップ５０の装着作業時に注出スパウト１０の外側スリーブ３０がスパウト本体２０に対する嵌合位置よりもスパウト本体２０先端側にずれた位置にある場合、外側スリーブ３０は、オーバーキャップ５０の先端壁部５２によって押動されてスパウト本体２０に対する嵌合位置に配置される。
【００５２】
図６に示すように、ストッパ部材４０の介装片４１の湾曲外周側の側面は、オーバーキャップ５０の筒壁部５１の内周面と同様の湾曲半径の仮想円上に位置する。
このため、オーバーキャップ５０の注出用スパウト１０への装着が完了したときには、オーバーキャップ５０の筒壁部５１によってストッパ部材４０の介装片４１が注出用スパウト１０のストッパ配置領域１１内に配置された状態が安定維持される。
【００５３】
注出用スパウト１０に装着されたオーバーキャップ５０は、注出用スパウト１０に対してその先端側へ引っ張り、筒壁部５１基端部内面の係合突起５４をスパウト本体２０のストッパ受け部２７から注出用スパウト１０先端側へ抜き出すことで、注出用スパウト１０から離脱させることができる。
図３に示すように、オーバーキャップ５０を注出用スパウト１０から離脱させれば、注出用スパウト１０のストッパ配置領域１１内に配置されたストッパ部材４０の介装片４１のストッパ配置領域１１からの抜き去りが可能となる。
【００５４】
図５に示すように、初期状態の注出用スパウト１０へのオーバーキャップ５０の装着が完了したときには、ストッパ部材４０の取っ手片４２の張り出し片部４４がオーバーキャップ５０外側に配置される。このため、注出用スパウト１０からオーバーキャップ５０を離脱させなくても、注出用スパウト１０にストッパ部材４０が装着されていることを目視確認できる。
【００５５】
図３に示すように、オーバーキャップ５０を注出用スパウト１０から離脱させたときには、ストッパ部材４０の取っ手片４２が、注出用スパウト１０のストッパ配置領域１１内に配置された介装片４１からストッパ配置領域１１側方へ突出されているため、詰め替え容器１１０のユーザーが取っ手片４２の存在を明瞭に目視確認できる。このため、詰め替え容器１１０から包装容器１２０への内容物充填作業を行なうユーザーに、注出用スパウト１０に装着状態のストッパ部材４０の注出用スパウト１０からの抜き去り撤去を喚起できる。
【００５６】
初期状態の注出用スパウト１０は、オーバーキャップ５０が離脱された状態で、ストッパ部材４０を抜き去ることで、外側スリーブ３０のスパウト本体２０に対する基端側へのスライド移動が可能となる。
【００５７】
図１、図２に示すように、詰め替え容器１１０は、オーバーキャップ５０及びストッパ部材４０が取り外した（離脱させた）状態の注出用スパウト１０を包装容器１２０の円筒状の口首部１２１に挿入して、包装容器１２０への内容物充填作業に用いる。
図１、図２において、上側が上、下側が下である。
図１に示すように、詰め替え容器１１０から包装容器１２０へ内容物を充填する充填作業では、包装容器１２０を口首部１２１先端が上端となる向きとし、詰め替え容器１１０の注出用スパウト１０を口首部１２１にその上側から挿入し、外側スリーブ３０のストッパ突部３２を口首部１２１先端に当接させる。
詰め替え容器１１０は、注出用スパウト１０先端が下端、容器部１１１が注出用スパウト１０の上側に位置する向きで、注出用スパウト１０を注出用スパウト１０を口首部１２１に挿入していく。
【００５８】
このとき、注出用スパウト１０は、外側スリーブ３０がスパウト本体２０に対して嵌合位置に配置された状態で、その先端側から包装容器１２０の口首部１２１に挿入していく。外側スリーブ３０は、まず、主筒部３３が包装容器１２０の口首部１２１に挿入されていき、ストッパ突部３２が口首部１２１先端に当接される。
【００５９】
次いで、図２に示すように、注出用スパウト１０の口首部１２１への挿入動作の継続によってスパウト本体２０の注出用突部２６を外側スリーブ３０からその先端側へ突出させて内容物流路２５の注出口２５ｂを開放させる。
注出用スパウト１０の内容物流路２５の注出口２５ｂを開放されることで、詰め替え容器１１０内の内容物は注出用スパウト１０の内容物流路２５を介して包装容器１２０へ流入、充填される。
【００６０】
詰め替え容器１１０内の内容物は注出用スパウト１０の内容物流路２５の複数の分割流路２５ｃ（図１、図２、図３等参照）の１以上を介して包装容器１２０へ流入、充填される。
【００６１】
図４、図５に示すように、スパウト本体２０の注出筒部２２の側面の軸線方向複数箇所には、その周方向全周に延在する液止めリブ２８が突設されている。
外側スリーブ３０のスリーブ本体３１内周面、すなわち、外側スリーブ３０内側の貫通孔（スリーブ貫通孔）内周面は、液止めリブ２８に当接されている。液止めリブ２８は外側スリーブ３０と注出筒部２２との接触面積を小さく抑えて外側スリーブ３０の注出筒部２２に対する摺動抵抗を小さくするとともに、外側スリーブ３０と注出筒部２２との間の内容物の通過を阻止する役割を果たす。
【００６２】
図２に示すように、包装容器１２０の口首部１２１内径が、注出用スパウト１０の外側スリーブ３０の基片部挿入溝３２ａの溝底の外側スリーブ３０先端側の端から外側スリーブ３０内側のスリーブ貫通孔の中心軸線までの離間距離の２倍よりも大きく、外側スリーブ３０のストッパ突部３２が当接された口首部１２１内側の注出口流路１２３に外側スリーブ３０の基片部挿入溝３２ａが連通するとき、口首部１２１の内周面と外側スリーブ３０の口首部１２１内に挿入された部分の外周面との間のクリアランス、及び基片部挿入溝３２ａによって、包装容器１２０及び詰め替え容器１１０の外側空間と連通する通気路１２が確保される。
外側スリーブ３０の基片部挿入溝３２ａは、通気路１２の末端に位置し、口首部１２１の内周面と外側スリーブ３０の口首部１２１内に挿入された部分の外周面との間のクリアランスと、包装容器１２０及び詰め替え容器１１０の外側空間との間を連通させる通気路出口溝の役割を果たす。
【００６３】
通気路１２には、詰め替え容器１１０から包装容器１２０への内容物の充填の進行に伴い包装容器１２０から押し出される空気が流入する。
通気路１２は、詰め替え容器１１０から包装容器１２０への内容物の充填の進行に伴い包装容器１２０から押し出された空気の包装容器１２０からの脱気を可能にし、詰め替え容器１１０から包装容器１２０への内容物の充填を円滑にする役割を果たす。
【００６４】
図１、図２に示すように、詰め替え容器１１０の注出用スパウト１０の外側スリーブ３０は、ストッパ突部３２が主筒部３３を挿入した口首部１２１の先端に当接する位置まで包装容器１２０に挿入できる。外側スリーブ３０は、ストッパ突部３２が口首部１２１先端に当接する位置が包装容器１２０に対する挿入限界位置である。
外側スリーブ３０のストッパ突部３２は、主筒部３３を挿入した口首部１２１の先端に当接されることでスリーブ本体３１の口首部１２１に対する挿入方向の変位を規制する。
【００６５】
また、ストッパ突部３２は、包装容器１２０の口首部１２１先端に当接可能な範囲で包装容器１２０の口首部１２１の種々の口径（内径）に対応して、外側スリーブ３０の包装容器１２０に対する挿入限界位置の設定（外側スリーブ３０の包装容器１２０に対する挿入限界位置での支持）を実現できる。
【００６６】
外側スリーブ３０のスリーブ本体３１の基端部の周囲に外側スリーブ３０基端側に行くにしたがってスリーブ本体３１からの突出寸法が増大するテーパ状に突出形成されたストッパ突部３２は、包装容器１２０の口首部１２１先端のほぼ全周にわたって当接されることで口首部１２１に嵌め込まれた状態となり、スパウト本体２０の注出筒部２２の口首部１２１に対する挿入向きの安定維持に有効に寄与する。
【００６７】
また、図１、図２に示すように、外側スリーブ３０のスリーブ本体３１の基端部の周囲にリング状に突出形成されたストッパ突部３２は、包装容器１２０の口首部１２１先端に当接されることで、口首部１２１内周面とその内側に挿入された外側スリーブ主筒部３３との間に生じたクリアランスの上端を塞ぐように設けられる。
【００６８】
図５等に示すように、外側スリーブ３０はスリーブ本体３１後端部とストッパ突部３２とが一体化した後端部を有する。ストッパ突部３２の基片部挿入溝３２ａは、ストッパ突部３２径方向全体に形成されているのではなく、外側スリーブ３０基端部におけるスリーブ本体３１側面の仮想延長からストッパ突部３２径方向外側に離間した所に溝底が位置するように形成されている。
【００６９】
包装容器１２０の口首部１２１内径がストッパ突部３２の基片部挿入溝３２ａの溝底のスリーブ本体３１軸線からの距離以下である場合、外側スリーブ３０のストッパ突部３２は、包装容器１２０の口首部１２１先端に当接させたときに、口首部１２１内周面とその内側に挿入された外側スリーブ主筒部３３との間に生じたクリアランスの上端全体を塞ぐことが可能である。
包装容器１２０の口首部１２１内径がストッパ突部３２の基片部挿入溝３２ａの溝底のスリーブ本体３１軸線からの距離よりも大きい場合、外側スリーブ３０のストッパ突部３２は、包装容器１２０の口首部１２１先端に当接させたときに、口首部１２１内周面とその内側に挿入された外側スリーブ主筒部３３との間に生じたクリアランスの上端の殆どを塞ぐことが可能である。
包装容器１２０の口首部１２１先端に当接されたストッパ突部３２は、詰め替え容器１１０から包装容器１２０への内容物充填作業における、口首部１２１からの内容物の溢れ出し防止に有効に寄与する。
【００７０】
包装容器１２０の口首部１２１内径は種々存在する。
外側スリーブ３０のストッパ突部３２は、包装容器１２０の口首部１２１内径が大きいほど、口首部１２１先端に当接されたときの口首部１２１軸線方向における包装容器１２０に対する挿入寸法が大きくなる。
また、ボトル形容器である包装容器１２０は、口首部１２１の先端とは逆の基端からその周囲に張り出すように延在する肩部１２２を有している。包装容器１２０における肩部１２２先端内側から口首部１２１内側に連続する注出口流路１２３の軸線方向寸法も種々存在する。
【００７１】
注出用スパウト１０の外側スリーブ３０は、例えば、詰め替え容器１１０から内容物を充填する充填対象容器として設定した１または複数の包装容器１２０の口首部１２１内径、及び注出口流路１２３の種々の軸線方向寸法、に鑑みて、充填対象容器として設定した全ての包装容器１２０について、ストッパ突部３２が包装容器１２０の口首部１２１先端に当接されたときに、外側スリーブ主筒部３３先端が注出口流路１２３よりも下方に配置されるように設計して用いる。
注出用スパウト１０の外側スリーブ３０は、例えば、ストッパ突部３２を変更せず、外側スリーブ主筒部３３の軸線方向寸法の調整によって、充填対象容器として設定した全ての包装容器１２０について、ストッパ突部３２が包装容器１２０の口首部１２１先端に当接されたときに、外側スリーブ主筒部３３先端が包装容器１２０の注出口流路１２３よりも下方に配置されるように設計しても良い。
【００７２】
図２に示すように、ストッパ突部３２が包装容器１２０の口首部１２１先端に当接されたときに外側スリーブ主筒部３３先端が包装容器１２０の注出口流路１２３よりも下方に配置される注出用スパウト１０は、スパウト本体２０の口首部１２１への押し込みによって内容物流路２５の注出口２５ｂを、包装容器１２０の肩部１２２先端よりも下方にて開放させることができる。
内容物流路２５の注出口２５ｂが包装容器１２０の肩部１２２先端よりも下方にて開放さされる構成は、内容物流路２５の注出口２５ｂが包装容器１２０の注出口流路１２３内で開放される場合に比べて、注出用スパウト１０の内容物流路２５の注出口２５ｂから包装容器１２０内への内容物の注出を円滑かつ短時間で行なうことに有利である。
【００７３】
図２に示すように、外側スリーブ主筒部３３を包装容器１２０の口首部１２１先端に挿入しスパウト本体２０の内容物流路２５の注出口２５ｂを開放した詰め替え容器１１０は、外側スリーブ３０をストッパ受け部２７に当接する位置に引き戻すことで、スパウト本体２０先端部の嵌合部２４ｂを外側スリーブ主筒部３３の先端部に嵌合させて内容物流路２５の注出口２５ｂを閉鎖できる。
これにより、詰め替え容器１１０は、内部に残液等の内容物が存在する場合でも、内容物流路２５の注出口２５ｂからの内容物の漏出を防いだ状態で保管することができる。
【００７４】
以上、本発明を最良の形態に基づいて説明してきたが、本発明は上述の最良の形態に限定されるものではなく、本発明の要旨を逸脱しない範囲で種々の改変が可能である。
【００７５】
注出用スパウトのストッパ受け部は、図１、図２に例示したように注出筒部２２側面の取付部２１からスパウト先端側に離間した位置に突出された突部に限定されず、スパウト本体の取付部自体を利用しても良い。ストッパ受け部がスパウト本体の取付部である場合は、図１、図２に例示したように注出筒部２２側面の取付部２１からスパウト先端側に離間した位置に突出された突部であるストッパ受け部を省略し、取付部と外側スリーブ基端との間にストッパ配置領域が確保される構成を採用する。
【００７６】
スパウト本体は、内容物流路内に分割流路を複数形成するための流路仕切り壁が無い構成も採用可能である。
また、スパウト本体の封止突部は、流路仕切り壁の有無に依らず、例えば、注出筒部先端の周方向複数箇所からスパウト本体先端側へ突出された支持片部に支持された構成も採用可能である。この構成の場合、注出筒部周方向に隣り合う支持片部間に注出口を確保する。
【００７７】
ストッパ部材は、注出用スパウトのストッパ配置領域に配置可能なものであれば良く、その具体的形状には限定は無い。
ストッパ部材は、例えば、ストッパ受け部または外側スリーブに手指で切断可能な易破壊性の薄肉部を介して手指で切り離し可能に繋がっている構成や、ストッパ受け部、外側スリーブ、あるいは注出筒部に対して、注出筒部の軸線に垂直の向きの引き抜き力によって係合解除可能な係合突起を係合させた構成、ストッパ受け部、外側スリーブ、あるいは注出筒部に形成された係合突起に対して注出筒部の軸線に垂直の向きの引き抜き力によって係合解除可能に係合する係合凹部が形成された構成等も採用可能である。
また、ストッパ部材は、取っ手片を有していない構成も採用可能である。
但し、ストッパ部材は、ストッパ配置領域に、注出筒部の軸線に垂直の向きの引き抜き力によってから抜き去り可能に配置される構成を採用する。
【００７８】
ストッパ部材のテーパ状のストッパ突部は、外側スリーブのスリーブ本体基端部の周囲にリング状に形成された構成に限定されず、外側スリーブのスリーブ本体基端部の周方向の複数箇所に分散配置された構成も採用可能である。
【符号の説明】
【００７９】
１０…注出用スパウト、１０Ａ…ストッパ部材付き注出用スパウト、１０Ｂ…キャップ付き注出用スパウト、１１…ストッパ配置領域、１２…通気路、２０…スパウト本体、２１…取付部、２１ａ…基端面、２２…注出筒部、２２ａ…配置領域延在部、２３…支持片部（流路仕切り壁）、２３ａ…突出先端部、２４…封止突部、２４ａ…カバー壁部、２４ｂ…嵌合部、２５…内容物流路、２５ａ…基端開口部、２５ｂ…注出口、２５ｃ…分割流路、２５ｄ…流路先端領域、２６…注出用突部、２７…ストッパ受け部、２８…係合突片、３０…外側スリーブ、３１…スリーブ本体、３２…ストッパ突部、３２ａ…通気路出口溝、基片部挿入溝、３３…主筒部、３４…嵌合受け部、４０…ストッパ部材、４１…介装片、４１Ｌ…（介装片両端間の）離間距離、４１Ｔ…（介装片の）高さ寸法、４２…取っ手片、４３…基片部、４３ａ…橋絡部、４３ｂ…延出板部、４４…張り出し片部、５０…オーバーキャップ、５１…筒壁部、５２…先端壁部、５３…取っ手片挿入スリット、５４…係合突起、１１０…詰め替え容器、１１１（容器）…容器部、１２０…充填対象容器（包装容器）、１２１…容器口首部（口首部）、１２２…肩部、１２３…注出口流路、ΔＬ…嵌合位置の外側スリーブとストッパ受け部との間の離間距離。
【図１】
2020172315.tif 000003
【図２】
2020172315.tif 000004
【図３】
2020172315.tif 000005
【図４】
2020172315.tif 000006
【図５】
2020172315.tif 000007
【図６】
2020172315.tif 000008
【図７】
2020172315.tif 000009